(57)【特許請求の範囲】
【請求項１】
上限値と下限値との周波数差が、妨害対象の信号に対して予め定められたパターンの信号の周波数帯域幅よりも広く、前記妨害対象の信号の周波数帯域幅よりも狭く、時間変化と共に変化する周波数を有する局所信号に基づいて、入力信号の周波数を偏移させて、他の周波数に変換する周波数変換部と、
前記入力信号の周波数を偏移させる量を経時的に変更する制御部と、
を備える妨害信号発生装置。
【請求項２】
前記入力信号のうち所定周波数の信号が通過するフィルタ、
を備え、
前記周波数変換部は、
前記フィルタを通過した信号の周波数を他の周波数に変換する、
請求項１に記載の妨害信号発生装置。
【請求項３】
前記フィルタは、
妨害対象の周波数帯域の信号のみを通過させるバンドパスフィルタを含む、
請求項２に記載の妨害信号発生装置。
【請求項４】
前記フィルタは、
妨害対象でない周波数帯域の信号を遮断するバンドストップフィルタを含む、
請求項２または請求項３に記載の妨害信号発生装置。
【請求項５】
信号を受信する第１アンテナと、
前記第１アンテナが受信した信号を増幅する第１増幅器と、
前記第１増幅器が増幅した信号を受ける請求項１から請求項４の何れか一項に記載の妨害信号発生装置と、
前記妨害信号発生装置の出力信号を増幅する第２増幅器と、
前記第２増幅器が増幅した信号を送信する第２アンテナと、
を備える妨害信号発生システム。
【請求項６】
上限値と下限値との周波数差が、妨害対象の信号に対して予め定められたパターンの信号の周波数帯域幅よりも広く、前記妨害対象の信号の周波数帯域幅よりも狭く、時間変化と共に変化する周波数を有する局所信号に基づいて、入力信号の周波数を偏移させて、他の周波数に変換することと、
前記入力信号の周波数を偏移させる量を経時的に変更することと、
を含む妨害信号発生方法。
【請求項７】
第１アンテナによって受信された信号を増幅することと、
上限値と下限値との周波数差が、妨害対象の信号に対して予め定められたパターンの信号の周波数帯域幅よりも広く、前記妨害対象の信号の周波数帯域幅よりも狭く、時間変化と共に変化する周波数を有する局所信号に基づいて、前記増幅された信号の周波数を偏移させて、他の周波数に変換することと、
前記増幅された信号の周波数を偏移させる量を経時的に変更することと、
前記周波数が変換された信号を増幅することと、
前記周波数が変換されかつ増幅された信号を第２アンテナから送信することと、
を含む妨害信号発生方法。
【発明の詳細な説明】
【技術分野】
【０００１】
本発明は、妨害信号発生装置、妨害信号発生システム及び妨害信号発生方法に関する。
【背景技術】
【０００２】
近年の携帯電話、テレビ放送、アマチュア無線等の用途に応じて、さまざまな周波数帯域で無線通信が行われている。無線通信には、電波の届くところであればどこでも通信を行うことができるという利点がある。一方で、電波の届くところであればどこでも無線通信ができてしまう。このため、試験会場やコンサート会場などでは、着信音や通話などにより他者に迷惑が掛からないように、携帯電話などの電源を切らなければならないという欠点もある。
特許文献１には、関連する技術として、無線通信を妨害する妨害信号を発生させる技術が記載されている。
【先行技術文献】
【特許文献】
【０００３】
【特許文献１】日本国特開平０５−０９１０８８号公報
【発明の概要】
【発明が解決しようとする課題】
【０００４】
ところで、無線通信を妨げる、すなわち妨害する方法の１つとして、例えば、特許文献１に記載の技術を用いて発生させた妨害信号を使用することが考えらえる。特許文献１に記載の技術は、受信信号を記憶し、記憶した信号を用いて妨害信号を発生させる。そのため、試験会場やコンサート会場などのように無線通信を直ちに妨害したい状況で特許文献１に記載の技術を使用する場合、処理に時間が掛かりその信号の周波数帯域において妨害信号を直ちに発生させることができない可能性がある。【０００５】
本発明の目的の一例は、上記の課題を解決することのできる妨害信号発生装置、妨害信号発生システム及び妨害信号発生方法を提供することである。
【課題を解決するための手段】
【０００６】
本発明の態様に係る妨害信号発生装置は、上限値と下限値との周波数差が、妨害対象の信号に対して予め定められたパターンの信号の周波数帯域幅よりも広く、前記妨害対象の信号の周波数帯域幅よりも狭く、時間変化と共に変化する周波数を有する局所信号に基づいて、入力信号の周波数を偏移させて、他の周波数に変換する周波数変換部と、前記入力信号の周波数を偏移させる量を経時的に変更する制御部と、を備える。
【０００７】
本発明の別の態様に係る妨害信号発生システムは、信号を受信する第１アンテナと、前記第１アンテナが受信した信号を増幅する第１増幅器と、前記第１増幅器が増幅した信号を受ける上記の妨害信号発生装置と、前記妨害信号発生装置の出力信号を増幅する第２増幅器と、前記第２増幅器が増幅した信号を送信する第２アンテナと、を備える。【０００８】
本発明の別の態様に係る妨害信号発生方法は、上限値と下限値との周波数差が、妨害対象の信号に対して予め定められたパターンの信号の周波数帯域幅よりも広く、前記妨害対象の信号の周波数帯域幅よりも狭く、時間変化と共に変化する周波数を有する局所信号に基づいて、入力信号の周波数を偏移させて、他の周波数に変換することと、前記入力信号の周波数を偏移させる量を経時的に変更することと、を含む。
【０００９】
本発明の別の態様に係る妨害信号発生方法は、第１アンテナによって受信された信号を増幅することと、上限値と下限値との周波数差が、妨害対象の信号に対して予め定められたパターンの信号の周波数帯域幅よりも広く、前記妨害対象の信号の周波数帯域幅よりも狭く、時間変化と共に変化する周波数を有する局所信号に基づいて、前記増幅された信号の周波数を偏移させて、他の周波数に変換することと、前記増幅された信号の周波数を偏移させる量を経時的に変更することと、前記周波数が変換された信号を増幅することと、前記周波数が変換されかつ増幅された信号を第２アンテナから送信することと、を含む。
【発明の効果】
【００１０】
上記いずれかの態様によれば、受信した信号を妨害したい場合に、その信号の周波数帯域において妨害信号を直ちに発生させることができる。
【図面の簡単な説明】
【００１１】
【図１】本発明の第１の実施形態による妨害信号発生システムの構成を示す図である。
【図２】本発明の第１の実施形態による妨害信号発生システムの処理フローを示す図である。
【図３】本発明の第１の実施形態による妨害信号発生システムにおいて発生する信号を示す図である。
【図４】本発明の第２の実施形態による妨害信号発生システムの構成を示す図である。
【図５】本発明の第２の実施形態による妨害信号発生システムの処理フローを示す図である。
【図６】本発明の第２の実施形態による妨害信号発生システムにおいて発生する信号を示す図である。
【図７】本発明の第３の実施形態による妨害信号発生システムの構成を示す図である。
【図８】本発明の第３の実施形態による妨害信号発生システムの処理フローを示す図である。
【図９】本発明の第３の実施形態による妨害信号発生システムにおいて発生する信号を示す図である。
【図１０】本発明の別の実施形態による妨害信号発生装置の構成を示す図である。
【図１１】少なくとも１つの実施形態に係るコンピュータの構成を示す概略ブロック図である。
【発明を実施するための形態】
【００１２】
以下、図面を参照しながら本発明の各実施形態について詳しく説明する。
本発明の各実施形態による妨害信号発生システム１は、無線通信を妨害する周波数帯域の妨害信号を直ちに発生することのできるシステムである。本発明の第１〜第２の実施形態による妨害信号発生システム１は、ダウンコンバート及びアップコンバートを行うダイレクトコンバージョン方式の技術を用いた場合の例を示している。本発明の第３の実施形態による妨害信号発生システム１は、ダイレクトコンバージョン方式の技術を用いない場合の例を示している。
【００１３】
＜第１の実施形態＞
まず、本発明の第１の実施形態による妨害信号発生システム１の構成について説明する。
本発明の第１の実施形態による妨害信号発生システム１は、受信した無線信号を妨害したい場合に、その信号の周波数帯域においてその無線信号による通信を妨害する妨害信号を直ちに発生させることのできるシステムである。妨害信号発生システム１は、図１に示すように、第１アンテナ１０と、ＬＮＡ（Ｌｏｗ  Ｎｏｉｓｅ  Ａｍｐｌｉｆｉｅｒ）２０（第１増幅器の一例）と、妨害信号発生装置３０−１と、第１ＬＯ（Ｌｏｃａｌ  Ｏｓｃｉｌｌａｔｏｒ）信号発振器４０ａと、第２ＬＯ信号発振器４０ｂと、ＰＡ（Ｐｏｗｅｒ  Ａｍｐｌｉｆｉｅｒ）５０（第２増幅器の一例）と、第１フィルタ６０と、第２アンテナ７０と、を備える。妨害信号発生システム１は、アナログ回路によって構成されるシステムである。
【００１４】
第１アンテナ１０は、妨害対象の無線信号を受信する。
ＬＮＡ２０は、第１アンテナ１０が受信した無線信号を妨害信号発生装置３０−１が信号処理できる振幅まで増幅する。
【００１５】
妨害信号発生装置３０−１は、ＬＮＡ２０から受けた信号から、第１周波数ｆＬＯの第１ＬＯ（ローカル）信号を用いてダウンコンバートした直交信号であるＩ信号とＱ信号を生成する。妨害信号発生装置３０−１は、生成したＩ信号とＱ信号とを第１周波数ｆＬＯからΔｆ（ｔ）だけ異なる第２周波数ｆＬＯ＋Δｆ（ｔ）の第２ＬＯ（ローカル）信号を用いてＩ信号とＱ信号とをアップコンバートしてＬＮＡ２０から受けた信号の周波数とは異なる周波数の信号を生成する。ここでｔは時間を表し、Δｆ（ｔ）は時間変化と共に変化する。また、Δｆ（ｔ）の上限値と下限値との周波数差は、妨害対象の信号（データ信号など）を送受信する装置間で予め定められたパターンの信号（パイロット信号など）の周波数帯域幅の値よりも大きく、妨害対象の周波数帯域幅よりも狭い周波数差である。これは、パイロット信号とデータ信号とで周波数がずれていればパイロット信号が補正されてもデータ信号は正しく補正されないという考えに基づく。そして、妨害信号発生装置３０−１は、アップコンバート後のＩ信号とＱ信号とを合成したＩＱ合成信号を生成する。
また、妨害信号発生装置３０−１は、第２ＬＯ信号発振器４０ｂの発振周波数を制御する。また、妨害信号発生装置３０−１は、妨害信号を発生させたくない周波数帯域を選択し、その選択した周波数帯域の信号が第１フィルタ６０において除去されるように第１フィルタ６０を制御する。
【００１６】
第１ＬＯ信号発振器４０ａは、妨害信号発生装置３０−１がダウンコンバートする際に使用する第１ＬＯ信号を生成する。
【００１７】
第２ＬＯ信号発振器４０ｂは、妨害信号発生装置３０−１がアップコンバートする際に使用する第２ＬＯ信号を生成する。
【００１８】
ＰＡ５０は、妨害信号発生装置３０−１の出力信号を妨害信号として充分な振幅まで増幅する。妨害信号として充分な振幅とは、無線通信を行わせたくない所定の範囲まで妨害電波が届く電力に対応する振幅にまで増幅された振幅のことである。
【００１９】
第１フィルタ６０は、妨害信号を発生させたくない周波数帯を除去するフィルタである。第１フィルタ６０は、例えば、Ｎ−ｐａｔｈ構成のバンドストップフィルタ、すなわち、Ｎチャンネルの周波数帯のうち妨害信号を発生させたくない周波数帯に対応するチャンネルを選択可能なフィルタである。第１フィルタ６０は、妨害信号発生装置３０−１による制御の下、Ｎチャンネルの周波数帯のうち妨害信号を発生させたくない周波数帯に対応するチャンネルを選択する。
第２アンテナ７０は、第１フィルタ６０を通過した信号を送信する。
【００２０】
妨害信号発生装置３０−１は、第１ＩＱミキサ３０１と、第２ＩＱミキサ３０２（周波数変換部の１つ）と、制御部３０３と、を備える。
【００２１】
第１ＩＱミキサ３０１は、ＬＮＡ２０から受けた信号を第１ＬＯ信号に基づいてダウンコンバート、すなわち、低周波数帯域の信号に変換し、Ｉ信号とＱ信号とを生成する。
【００２２】
第２ＩＱミキサ３０２は、第１ＩＱミキサ３０１が生成したＩ信号とＱ信号とを受ける。第２ＩＱミキサ３０２は、受けたI信号とＱ信号とを第２ＬＯ信号に基づいてアップコンバート、すなわち、高周波帯域の信号に変換する。そして、第２ＩＱミキサ３０２は、アップコンバート後のＩ信号とＱ信号とを合成したＩＱ合成信号を生成する。
【００２３】
制御部３０３は、第２ＬＯ信号発振器４０ｂの発振周波数を制御する。また、制御部３０３は、妨害信号を発生させたくない周波数帯域を選択し、その選択した周波数帯域の信号が第１フィルタ６０において除去されるように第１フィルタ６０を制御する。
【００２４】
次に、本発明の第１の実施形態による妨害信号発生システム１の処理について説明する。
ここでは、図２に示す妨害信号発生システム１の処理フローについて図３に示す信号例を用いて説明する。
なお、ここでは、妨害対象の無線信号の周波数帯域が予めわかっており、妨害対象の無線信号の周波数帯域を（ｆ１〜ｆ２）ヘルツとする。以下、周波数の単位である「ヘルツ」は省略する。
【００２５】
制御部３０３は、第２ＬＯ信号発振器４０ｂの発振周波数（ｆ１＋ｆ２）／２＋Δｆ（ｔ）におけるΔｆ（ｔ）を時間ｔの変化とともに変化させる制御を行う（ステップＳ１）。また、制御部３０３は、妨害信号を発生させたくない周波数帯域の信号が第１フィルタ６０において除去されるように第１フィルタ６０を制御する（ステップＳ２）。制御部３０３が行うこれらの制御は、妨害信号を生成する間、常時行われている。
【００２６】
第１アンテナ１０は、妨害対象の無線信号を受信する（ステップＳ３）。第１アンテナ１０が受信する無線信号は、例えば、図３の部分（ａ）に示す中心周波数が（ｆ１＋ｆ２）／２の無線信号である。
ＬＮＡ２０は、第１アンテナ１０が受信した無線信号を第１アンテナ１０から受ける。ＬＮＡ２０は、受けた無線信号を妨害信号発生装置３０−１が信号処理できる振幅まで増幅する（ステップＳ４）。ＬＮＡ２０は、増幅後の信号を妨害信号発生装置３０−１に出力する。
【００２７】
第１ＩＱミキサ３０１は、その増幅後の信号をＬＮＡ２０から受ける。第１ＩＱミキサ３０１は、ＬＮＡ２０から受けた信号を第１ＬＯ信号発振器４０ａから入力される第１ＬＯ信号を用いてダウンコンバートし、図３の部分（ｂ）に示すＤＣ（周波数０）を中心周波数とするＩ信号とＱ信号とを生成する（ステップＳ５）。第１ＩＱミキサ３０１は、生成したＩ信号とＱ信号とを第２ＩＱミキサ３０２に出力する。なお、第１ＬＯ信号発振器４０ａが生成する第１ＬＯ信号の発振周波数（ｆ１＋ｆ２）／２は、妨害対象の無線信号の周波数帯域となるように予め調整されている。
【００２８】
第２ＩＱミキサ３０２は、第１ＩＱミキサ３０１からＩ信号とＱ信号とを受ける。第２ＩＱミキサ３０２は、第２ＬＯ信号発振器４０ｂから入力される発振周波数が（ｆ１＋ｆ２）／２＋Δｆ（ｔ）である第２ＬＯ信号を用いて、I信号とＱ信号とをアップコンバートする（ステップＳ６）。第２ＩＱミキサ３０２は、図３の部分（ｃ）に示す、アップコンバート後のＩ信号とＱ信号とを合成したＩＱ合成信号を生成する（ステップＳ７）。第２ＩＱミキサ３０２は、合成したＩＱ合成信号をＰＡ５０に出力する。
【００２９】
ＰＡ５０は、妨害信号発生装置３０−１からＩＱ合成信号を受ける。ＰＡ５０は、受けたＩＱ合成信号を妨害信号として充分な振幅まで増幅する（ステップＳ８）。ＰＡ５０は、増幅後の妨害信号を第１フィルタ６０に出力する。
【００３０】
第１フィルタ６０は、妨害信号発生装置３０−１の制御部３０３の制御により、増幅後の妨害信号から妨害信号を発生させたくない周波数帯の信号を除去して第２アンテナ７０に出力する（ステップＳ９）
第２アンテナ７０は、妨害信号を送信する（ステップＳ１０）。
【００３１】
以上、本発明の第１の実施形態による妨害信号発生システム１について説明した。
本発明の第１の実施形態による妨害信号発生システム１において、第２ＩＱミキサ３０２は、入力信号の周波数を他の周波数に変換する。制御部３０３は、第２ＩＱミキサ３０２が入力信号の周波数を変換する際の周波数偏移量を経時的に変更する。
制御部３０３が、第２ＩＱミキサ３０２が周波数を変換する際の周波数偏移量を経時的に変更するため、第２ＩＱミキサ３０２がアップコンバートした後の信号において、パイロット信号が補正されてもデータ信号は正しく補正されない。そのため、第２アンテナ７０から出力される信号におけるデータは復調できなくなり、第２アンテナ７０から出力される信号は妨害信号となる。
したがって、妨害信号発生装置３０−１は、第２ＩＱミキサ３０２と、制御部３０３と、を備えることにより、受信した信号を妨害したい場合に、その信号の周波数帯域において妨害信号を直ちに発生させることができる。
【００３２】
また、第１フィルタ６０は、妨害信号発生装置３０−１による制御の下、妨害信号を発生させたくない周波数帯の信号を除去する。これにより、妨害信号発生装置３０−１は、所望の周波数帯域のみに妨害信号を放射することができる。また、妨害信号発生装置３０−１は、これにより、不要な周波数帯域の妨害信号を放射しないため、無駄な電力の消費を低減することができる。
【００３３】
＜第２の実施形態＞
次に、本発明の第２の実施形態による妨害信号発生システム２について説明する。
本発明の第２の実施形態による妨害信号発生システム２は、図４に示すように、第１アンテナ１０と、ＬＮＡ２０と、妨害信号発生装置３０−２と、第１ＬＯ信号発振器４０ａと、第３ＬＯ信号発振器４０ｃと、ＰＡ５０と、第１フィルタ６０と、第２アンテナ７０と、第２フィルタ８０と、を備える。
妨害信号発生システム２は、アナログ回路によって構成されるシステムである。以下では、妨害信号発生システム２のうち、本発明の第１の実施形態による妨害信号発生システム１と異なる点について説明する。
【００３４】
第２フィルタ８０は、妨害信号発生装置３０−２による制御の下、第１アンテナ１０が受信した信号から妨害信号を発生させたくない周波数帯の信号を除去する。第２フィルタ８０は、例えば、Ｎ−ｐａｔｈ構成のバンドストップフィルタである。
【００３５】
ＬＮＡ２０は、第２フィルタ８０が、第１アンテナ１０が受信した信号から妨害信号を発生させたくない周波数帯の信号を除去した信号を妨害信号発生装置３０−２が信号処理できる振幅まで増幅する。
【００３６】
妨害信号発生装置３０−２は、ＬＮＡ２０から受けた信号から第１周波数（ｆ１＋ｆ２）／２の第１ＬＯ（ローカル）信号を用いてダウンコンバートした直交信号であるＩ信号とＱ信号を生成する。妨害信号発生装置３０−２は、生成したＩ信号とＱ信号とを第３ＬＯ（ローカル）信号を用いてΔｆ（ｔ）だけ周波数をずらす。なお、第３ＬＯ信号は、妨害信号発生装置３０−２において、信号の周波数をΔｆ（ｔ）だけずらす信号、すなわち、ダウンコンバートされた信号の中心周波数が０ヘルツである場合、Δｆヘルツの信号である。妨害信号発生装置３０−２は、周波数をΔｆ（ｔ）だけずらした後のＩ信号とＱ信号のそれぞれについて、第１ＬＯ（ローカル）信号を用いてアップコンバートし、アップコンバート後のＩ信号とＱ信号とを合成したＩＱ合成信号を生成する。
【００３７】
妨害信号発生装置３０−２は、第１ＩＱミキサ３０１と、第２ＩＱミキサ３０２と、第３ＩＱミキサ３０４と、制御部３０３と、を備える。
【００３８】
第１ＩＱミキサ３０１は、ＬＮＡ２０から受けた信号を第１ＬＯ信号に基づいてダウンコンバート、すなわち、低周波数帯域の信号に変換し、Ｉ信号とＱ信号とを生成する。
【００３９】
第３ＩＱミキサ３０４は、第１ＩＱミキサ３０１が生成したＩ信号とＱ信号とを第３ＬＯ信号を用いてΔｆ（ｔ）だけ周波数をずらす。
【００４０】
第２ＩＱミキサ３０２は、第１ＬＯ信号に基づいて、第３ＩＱミキサ３０４がΔｆ（ｔ）だけ周波数をずらしたＩ信号とＱ信号とをアップコンバート、すなわち、高周波帯域の信号に変換する。そして、第２ＩＱミキサ３０２は、アップコンバート後のＩ信号とＱ信号とを合成したＩＱ合成信号を生成する。
【００４１】
制御部３０３は、第３ＬＯ信号発振器４０ｃの発振周波数を制御する。また、制御部３０３は、第１フィルタ６０及び第２フィルタ８０において妨害信号を発生させたくない周波数帯域の信号が第１フィルタ６０及び第２フィルタ８０において除去されるように第１フィルタ６０及び第２フィルタ８０を制御する。
【００４２】
次に、本発明の第２の実施形態による妨害信号発生システム２の処理について説明する。
ここでは、図５に示す妨害信号発生システム２の処理フローについて図６に示す信号例を用いて説明する。
なお、ここでは、妨害対象の無線信号の周波数帯域が予めわかっており、妨害対象の無線信号の周波数帯域を（ｆ１〜ｆ２）ヘルツとする。
【００４３】
制御部３０３は、第３ＬＯ信号発振器４０ｃの発振周波数Δｆ（ｔ）におけるΔｆ（ｔ）を時間ｔの変化とともに変化させる制御を行う（ステップＳ１１）。また、制御部３０３は、妨害信号を発生させたくない周波数帯域を選択し、その選択した周波数帯域の信号が第１フィルタ６０及び第２フィルタ８０において除去されるように第１フィルタ６０及び第２フィルタ８０を制御する（ステップＳ１２）。制御部３０３が行うこれらの制御は、妨害信号を生成する間、常時行われている。
【００４４】
第１アンテナ１０は、妨害対象の無線信号を受信する（ステップＳ３）。
第２フィルタ８０は、妨害信号発生装置３０−２による制御の下、第１アンテナ１０が受信した信号から妨害信号を発生させたくない周波数帯の信号を除去する（ステップＳ１３）。
【００４５】
ＬＮＡ２０は、第２フィルタ８０から第１アンテナ１０が受信した信号から妨害信号を発生させたくない周波数帯の信号を除去した信号を受ける。ＬＮＡ２０が受ける信号は、例えば、図６の部分（ａ）に示す中心周波数が（ｆ１＋ｆ２）／２の無線信号である。ＬＮＡ２０は、受けた信号を妨害信号発生装置３０−２が信号処理できる振幅まで増幅する（ステップＳ４）。ＬＮＡ２０は、増幅後の信号を妨害信号発生装置３０−２に出力する。
【００４６】
第１ＩＱミキサ３０１は、その増幅後の信号をＬＮＡ２０から受ける。第１ＩＱミキサ３０１は、ＬＮＡ２０から受けた信号を第１ＬＯ信号発振器４０ａから入力される第１ＬＯ信号を用いてダウンコンバートし、図６の部分（ｂ）に示すＩ信号とＱ信号とを生成する（ステップＳ５）。第１ＩＱミキサ３０１は、生成したＩ信号とＱ信号とを第３ＩＱミキサ３０４に出力する。
【００４７】
第３ＩＱミキサ３０４は、第１ＩＱミキサ３０１からＩ信号とＱ信号とを受ける。第３ＩＱミキサ３０４は、第３ＬＯ信号発振器４０ｃから入力される発振周波数がΔｆ（ｔ）である第３ＬＯ信号を用いて、図６の部分（ｃ）に示すようにI信号とＱ信号とにおける周波数をΔｆ（ｔ）だけずらす（ステップＳ１４）。第３ＩＱミキサ３０４は、周波数をΔｆ（ｔ）だけずらした後のＩ信号とＱ信号とを第２ＩＱミキサ３０２に出力する。
【００４８】
第２ＩＱミキサ３０２は、第３ＩＱミキサ３０４から周波数をΔｆ（ｔ）だけずらした後のＩ信号とＱ信号とを受ける。第２ＩＱミキサ３０２は、受けたＩ信号とＱ信号とを第１ＬＯ信号に基づいてアップコンバートする（ステップＳ６）。このとき、第２ＩＱミキサ３０２が生成するアップコンバート後のＩ信号とＱ信号は、図６の部分（ｄ）に示すように中心周波数を（ｆ１＋ｆ２）／２＋Δｆ（ｔ）とする周波数帯域が（ｆ１＋Δｆ（ｔ）〜ｆ２＋Δｆ（ｔ））の信号である。第２ＩＱミキサ３０２は、アップコンバート後のＩ信号とＱ信号とを合成したＩＱ合成信号を生成する（ステップＳ７）。第２ＩＱミキサ３０２は、合成したＩＱ合成信号をＰＡ５０に出力する。
そして、妨害信号発生システム２は、その後、図２と同じく、ステップＳ８〜ステップＳ１０の処理を行う。
【００４９】
以上、本発明の第２の実施形態による妨害信号発生システム２について説明した。
本発明の第２の実施形態による妨害信号発生システム２において、第１ＩＱミキサ３０１は、ＬＮＡ２０から受けた信号を第１ＬＯ信号に基づいてダウンコンバートし、Ｉ信号とＱ信号とを生成する。第３ＩＱミキサ３０４は、I信号とＱ信号とを第３ＬＯ信号を用いてΔｆ（ｔ）だけ周波数をずらす。第２ＩＱミキサ３０２は、周波数をずらしたＩ信号とＱ信号とを第１ＬＯ信号に基づいてアップコンバートし、アップコンバート後のＩ信号とＱ信号とを合成したＩＱ合成信号を生成する。制御部３０３は、第３ＬＯ信号発振器４０ｃの発振周波数を制御する。また、制御部３０３は、妨害信号を発生させたくない周波数帯域の信号が第１フィルタ６０及び第２フィルタ８０によって除去されるように第１フィルタ６０及び第２フィルタ８０を制御する。
したがって、妨害信号発生装置３０−２は、受信した信号を妨害したい場合に、その信号の周波数帯域において妨害信号を直ちに発生させることができる。
【００５０】
また、第２フィルタ８０は、妨害信号発生装置３０−２の制御部３０３の制御により、第１アンテナ１０が受信した信号から妨害信号を発生させたくない周波数帯の信号を除去する。これにより、妨害信号発生装置３０−２は、所望の周波数帯域のみに妨害信号を放射することができる。また、妨害信号発生装置３０−２は、これにより、不要な周波数帯域の妨害信号を放射しないため、無駄な電力の消費を低減することができる。
なお、第２フィルタ８０が存在する場合、第１フィルタ６０がなくてもよい。その場合であっても、第２フィルタ８０によって、妨害信号を発生させたくない周波数帯の信号を除去することができる。ただし、信号の折り返しなどにより、妨害信号を発生させたくない周波数帯の信号が生成される可能性はある。そのため、第１フィルタ６０が設けられていた方がより確実に妨害信号を発生させたくない周波数帯の信号を除去することができる。
【００５１】
＜第３の実施形態＞
次に、本発明の第３の実施形態による妨害信号発生システム３について説明する。
本発明の第３の実施形態による妨害信号発生システム３は、図７に示すように、第１アンテナ１０と、ＬＮＡ２０と、妨害信号発生装置３０−３と、第３ＬＯ信号発振器４０ｃと、ＰＡ５０と、第１フィルタ６０と、第２アンテナ７０と、第２フィルタ８０と、を備える。妨害信号発生システム３は、アナログ回路によって構成されるシステムである。
【００５２】
妨害信号発生装置３０−３は、制御部３０３と、第１シングルミキサ３０５と、を備える。ここで、シングルミキサとは、ある周波数帯域の信号を、その周波数帯域の中心周波数から、その周波数帯域の中心周波数とＬＯ信号発振器から受けるＬＯ信号の周波数との差の周波数だけ低周波側と高周波側とにずれた周波数を中心とする信号に変換する機能部である。この変換前後の信号の周波数帯域幅及び振幅は変化しない。
【００５３】
第１シングルミキサ３０５は、第３ＬＯ信号発振器４０ｃの発振周波数に基づいて、ＬＮＡ２０から受けた信号を、その信号の周波数から周波数Δｆ（ｔ）だけずれた周波数の信号に変換する。第１シングルミキサ３０５は、周波数の変換後の信号をＰＡ５０に出力する。
【００５４】
次に、本発明の第３の実施形態による妨害信号発生システム３の処理について説明する。
ここでは、図８に示す妨害信号発生システム３の処理フローについて、図９に示す信号例を用いて説明する。
なお、ここでは、妨害対象の無線信号の周波数帯域が予めわかっており、妨害対象の無線信号の周波数帯域を（ｆ１〜ｆ２）とする。以下では、図８に示す処理フローのうち、本発明の第１の実施形態による妨害信号発生システム１の処理フローと異なる点について説明する。
【００５５】
妨害信号発生システム３は、図２の例の場合と同じく、ステップＳ１〜ステップＳ４の処理を行う。なお、ステップＳ３の処理において、第１アンテナ１０が受信する無線信号は、例えば、図９の部分（ａ）に示す中心周波数が（ｆ１＋ｆ２）／２の無線信号である。
ＬＮＡ２０は、増幅後の信号を妨害信号発生装置３０−３に出力する。
【００５６】
第１シングルミキサ３０５は、その増幅後の信号をＬＮＡ２０から受ける。第１シングルミキサ３０５は、第３ＬＯ信号発振器４０ｃから入力される発振周波数がΔｆ（ｔ）である第３ＬＯ信号を用いて、図９の部分（ｂ）に示すように、ＬＮＡ２０から受けた信号の周波数を±Δｆ（ｔ）だけずらした２つの信号を生成する（ステップＳ１５）。第１シングルミキサ３０５は、第１アンテナ１０が受信した妨害対象の無線信号と、ＬＮＡ２０から受けた信号の周波数を±Δｆ（ｔ）だけずらした２つの信号とを合成した合成信号を生成する（ステップＳ１６）。第１シングルミキサ３０５は、合成信号をＰＡ５０に出力する。
妨害信号発生システム３は、その後、図２の例の場合と同じく、ステップＳ８〜ステップＳ１０の処理を行う。
【００５７】
以上、本発明の第３の実施形態による妨害信号発生システム３について説明した。
本発明の第３の実施形態による妨害信号発生システム３において、第１シングルミキサ３０５は、第３ＬＯ信号発振器４０ｃから入力される発振周波数がΔｆ（ｔ）である第３ＬＯ信号を用いて、ＬＮＡ２０から受けた信号の周波数をΔｆ（ｔ）だけずらす。
このようにすれば、妨害信号発生装置３０−３は、ダイレクトコンバージョン方式の技術を用いない場合であっても、受信した信号を妨害したい場合に、その信号の周波数帯域において妨害信号を直ちに発生させることができる。また、第３の実施形態による妨害信号発生システム３は、部品点数も少なく、シンプルなシステム構成にできる。
【００５８】
＜別の実施形態＞
次に、本発明の別の実施形態による妨害信号発生装置３０Ａについて説明する。
妨害信号発生装置３０Ａは、図１０に示すように、周波数変換部３００Ａと、制御部３０３Ａと、を備える。
周波数変換部３００Ａは、入力信号の周波数を他の周波数に変換する。
制御部３０３Ａは、周波数変換部３００が周波数を変換する際の周波数偏移量を経時的に変更する。
このようにすれば、妨害信号発生装置３０Ａは、受信した信号を妨害したい場合に、その信号の周波数帯域において妨害信号を直ちに発生させることができる。
【００５９】
本発明の各実施形態による妨害信号発生システムにおいて、第１フィルタ６０は、ＰＡ５０と第２アンテナ７０との間に備えられる場合に限定されない。例えば、本発明の別の実施形態による妨害信号発生システムにおいて、第１フィルタ６０は、妨害信号発生装置３０とＰＡ５０との間に備えられていてもよい。
【００６０】
本発明の各実施形態による妨害信号発生システムにおいて、第２フィルタ８０は、第１アンテナ１０とＬＮＡ２０との間に備えられる場合に限定されない。例えば、本発明の別の実施形態による妨害信号発生システムにおいて、第２フィルタ８０は、ＬＮＡ２０と妨害信号発生装置３０との間に備えられていてもよい。
【００６１】
上述の本発明の実施形態による第１フィルタ６０及び第２フィルタ８０は、Ｎ−ｐａｔｈ構成のバンドストップフィルタを例に説明したが、第１フィルタ６０及び第２フィルタ８０は、Ｎ−ｐａｔｈ構成のバンドストップフィルタに限定されない。例えば、第１フィルタ６０、第２フィルタ８０のそれぞれは、バンドパスフィルタで構成されていてもよい。また、第１フィルタ６０、第２フィルタ８０のそれぞれは、バンドパスフィルタ、バンドストップフィルタ、ローパスフィルタ、ハイパスフィルタの任意の組み合わせによって、任意の周波数帯域の送受信を決定してもよい。
【００６２】
本発明の実施形態における処理は、適切な処理が行われる範囲において、処理の順番が入れ替わってもよい。
【００６３】
本発明の実施形態における記憶部や記憶装置（レジスタ、ラッチを含む）のそれぞれは、適切な情報の送受信が行われる範囲においてどこに備えられていてもよい。また、記憶部や記憶装置のそれぞれは、適切な情報の送受信が行われる範囲において複数存在しデータを分散して記憶していてもよい。
【００６４】
本発明の実施形態について説明したが、上述の妨害信号発生装置３０、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われてもよい。コンピュータの具体例を以下に示す。
図１１は、少なくとも１つの実施形態に係るコンピュータの構成を示す概略ブロック図である。
コンピュータ５は、図１１に示すように、ＣＰＵ６、メインメモリ７、ストレージ８、インターフェース９を備える。
例えば、上述の妨害信号発生装置３０、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００６５】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００６６】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００６７】
この出願は、２０１７年１１月９日に出願された日本国特願２０１７−２１６３００を基礎とする優先権を主張し、その開示の全てをここに取り込む。
【産業上の利用可能性】
【００６８】
本発明は、妨害信号発生装置、妨害信号発生システム及び妨害信号発生方法に適用してもよい。【００６９】
本発明のいくつかの実施形態を説明したが、これらの実施形態は、例であり、発明の範囲を限定しない。これらの実施形態は、発明の要旨を逸脱しない範囲で、種々の追加、種々の省略、種々の置き換え、種々の変更、組み合わせを行ってもよい。
【符号の説明】
【００７０】
１・・・妨害信号発生システム
５・・・コンピュータ
６・・・ＣＰＵ
７・・・メインメモリ
８・・・ストレージ
９・・・インターフェース
１０・・・第１アンテナ
２０・・・ＬＮＡ
３０・・・妨害信号発生装置
４０ａ・・・第１ＬＯ信号発振器
４０ｂ・・・第２ＬＯ信号発振器
４０ｃ・・・第３ＬＯ信号発振器
５０・・・ＰＡ
６０・・・第１フィルタ
７０・・・第２アンテナ
８０・・・第２フィルタ
３０１・・・第１ＩＱミキサ
３０２・・・第２ＩＱミキサ
３０３・・・制御部
３０４・・・第３ＩＱミキサ
３０５・・・第１シングルミキサ
【図１】
0006988910.tif 000002
【図２】
0006988910.tif 000003
【図３】
0006988910.tif 000004
【図４】
0006988910.tif 000005
【図５】
0006988910.tif 000006
【図６】
0006988910.tif 000007
【図７】
0006988910.tif 000008
【図８】
0006988910.tif 000009
【図９】
0006988910.tif 000010
【図１０】
0006988910.tif 000011
【図１１】
0006988910.tif 000012